(57)【特許請求の範囲】
【請求項１】
注文者と通信する通信手段と、
森林資源の在庫情報、生産計画を格納するとともに、前記注文者から受信した注文情報を格納するデータベースと、
前記データベースの前記在庫情報および前記生産計画を参照して、前記注文情報の森林資源に適合する在庫情報または生産計画の森林資源が存在するか否かを判断する第１受注判断手段と、
前記第１受注判断手段が、前記注文情報の全部または一部の森林資源に適合する在庫情報または生産計画の森林資源が存在しないと判断したときに、前記注文の森林資源とは異なるが加工により当該森林資源への転用が可能な森林資源の在庫情報または生産計画が存在するか否かを判断する第２受注判断手段と、
第１受注判断手段が、前記注文情報の森林資源に適合する在庫情報または生産計画の森林資源が存在すると判断し、あるいは、第２受注判断手段が、前記注文の森林資源とは異なるが加工により当該森林資源への転用が可能な森林資源の在庫情報または生産計画が存在すると判断したときに、前記注文者に対して、前記通信手段を介して、注文を確保できることを通知し、
第２受注判断手段が、前記注文の森林資源への転用が可能な森林資源の在庫情報または生産計画が存在しないと判断したときに、前記注文者に対して、前記通信手段を介して、注文を確保できないことを通知する受注可否通知手段と、
を備えることを特徴とする森林資源流通支援システム。
【請求項２】
請求項１記載の森林資源流通支援システムにおいて、
前記第２受注判断手段は、前記データベースに、前記注文の森林資源よりも直径、長さがより大きい森林資源の在庫、または生産計画があるとき、前記注文の森林資源とは異なる当該森林資源への転用が可能な森林資源があると判断することを特徴とする森林資源流通支援システム。
【請求項３】
請求項１記載の森林資源流通支援システムにおいて、
前記第２受注判断手段は、前記データベースに、前記注文の森林資源よりも曲がり度がより大きく、長さが異なる森林資源の在庫、または生産計画があるとき、前記注文の森林資源とは異なる当該森林資源への転用が可能な森林資源があると判断することを特徴とする森林資源流通支援システム。
【請求項４】
請求項１記載の森林資源流通支援システムにおいて、
前記在庫情報および生産計画の森林資源には、既存の長期注文情報に割り当てた森林資源が含まれ、
前記長期注文情報に割り当てる森林資源を新たな注文に割り当てようとするときに、前記長期注文情報の森林資源を、別の在庫情報または生産計画の森林資源で補うことができるか否か判断する第３受注判断手段を備え、
前記受注可否通知手段は、前記長期注文情報に割り当てる森林資源を新たな注文に割り当てない場合、あるいは、前記長期注文情報に割り当てる森林資源を新たな注文に割り当てようとする場合であって、第３受注判断手段が、前記長期注文情報の森林資源を、別の在庫情報または生産計画の森林資源で補うことができると判断したときに、前記注文者に対して、前記通信手段を介して、注文を確保できることを通知することを特徴とする森林資源流通支援システム。
【請求項５】
注文者と通信する通信手段と、森林資源の在庫情報、生産計画を格納するとともに、前記注文者から受信した注文情報を格納するデータベースとを備えた森林資源流通支援システムのための森林資源流通支援プログラムであって、
前記データベースの前記在庫情報および前記生産計画を参照して、前記注文情報の森林資源に適合する在庫情報または生産計画の森林資源が存在するか否かを判断する第１受注判断ステップと、
前記第１受注判断ステップで、前記注文情報の全部または一部の森林資源に適合する在庫情報または生産計画の森林資源が存在しないと判断されたときに、前記注文の森林資源とは異なるが加工により当該森林資源への転用が可能な森林資源の在庫情報または生産計画が存在するか否かを判断する第２受注判断ステップと、
第１受注判断ステップで、前記注文情報の森林資源に適合する在庫情報または生産計画の森林資源が存在すると判断し、あるいは、第２受注判断ステップで、前記注文の森林資源とは異なるが加工により当該森林資源への転用が可能な森林資源の在庫情報または生産計画が存在すると判断したときに、前記注文者に対して、前記通信手段を介して、注文を確保できることを通知し、第２受注判断ステップで、前記注文の森林資源への転用が可能な森林資源の在庫情報または生産計画が存在しないと判断したときに、前記注文者に対して、前記通信手段を介して、注文を確保できないことを通知する受注可否通知ステップと、
をコンピュータに実行させることを特徴とする森林資源流通支援プログラム。
【請求項６】
請求項５記載の森林資源流通支援プログラムにおいて、
前記第２受注判断ステップは、前記データベースに、前記注文の森林資源よりも直径、長さがより大きい森林資源の在庫、または生産計画があるとき、前記注文の森林資源とは異なる当該森林資源への転用が可能な森林資源があると判断することを特徴とする森林資源流通支援プログラム。
【請求項７】
請求項５記載の森林資源流通支援プログラムにおいて、
前記第２受注判断ステップは、前記データベースに、前記注文の森林資源よりも曲がり度がより大きく、長さが異なる森林資源の在庫、または生産計画があるとき、前記注文の森林資源とは異なる当該森林資源への転用が可能な森林資源があると判断することを特徴とする森林資源流通支援プログラム。
【請求項８】
請求項５記載の森林資源流通支援プログラムにおいて、
前記在庫情報および生産計画の森林資源には、既存の長期注文情報に割り当てた森林資源が含まれ、
前記長期注文情報に割り当てる森林資源を新たな注文に割り当てようとするときに、前記長期注文情報の森林資源を、別の在庫情報または生産計画の森林資源で補うことができるか否か判断する第３受注判断ステップをさらにコンピュータに実行させ、
前記受注可否通知ステップでは、前記長期注文情報に割り当てる森林資源を新たな注文に割り当てない場合、あるいは、前記長期注文情報に割り当てる森林資源を新たな注文に割り当てようとする場合であって、第３受注判断手段が、前記長期注文情報の森林資源を、別の在庫情報または生産計画の森林資源で補うことができると判断したときに、前記注文者に対して、前記通信手段を介して、注文を確保できることを通知することを特徴とする森林資源流通支援プログラム。
【発明の詳細な説明】
【技術分野】
【０００１】
本発明は、材木等となる丸太や、バイオマス資源等となる林地残材を含む森林資源を流通させるための森林資源流通支援システムおよび森林資源流通支援プログラムに関する。
【背景技術】
【０００２】
森林の土場で製材原木を伐採し、玉切りして得られた丸太等は、一般に原木市場で売買された後に、製材工場に搬送され、製材工場にて加工されて材木店や工務店に流通する。
このような森林資源の流通の効率化およびトレーサビリティの確保のために、土場での生産量、生産計画量、在庫量と、製材工場等需要者側の購入予定量、購入時期を突き合わせて、需要調整、搬送量適正化が求められている。
【０００３】
特許文献１には、規格化された原木の在庫状況を、顧客の入力条件と照合して、原木の購入を促すシステムが開示されている。
【０００４】
特許文献２には、大径の立木の樹種、樹齢、形状、所在地、販売希望価格等の情報を立木データベースに登録し、これら情報と需要者の情報とを突き合わせる電子取引システムが開示されている。
【０００５】
非特許文献１には、伐採前の立木情報を、注文情報をキーにして検索するシステムが開示されている。
【先行技術文献】
【特許文献】
【０００６】
【特許文献１】特開２００２−２５９４９４号公報
【特許文献２】特開２００３−１６２６５０号公報
【非特許文献】
【０００７】
【非特許文献１】原木ドットコム  ホームページ（ｈｔｔｐ：／／１２０．２９．１８０．１６５／ｂｕｙｅｒ／ｉｎｄｅｘ．ｈｔｍｌ
【発明の概要】
【発明が解決しようとする課題】
【０００８】
特許文献１開示の取引システムでは、規格化された、伐採後の原木のみが取引対象であり、３ヶ月、半年という長期的需要、あるいは長期的かつ安定的な需要には対応できない。
【０００９】
特許文献２開示の電子取引システムでは、大口径の丸太のみが取引対象であり、今後多くの需要が見込まれる並材（品質が並の丸太）への適用が困難である。
【００１０】
非特許文献１開示のシステムでは、伐採前の森林資源を対象としており、購入時期、要求品質への適合や、長期的かつ安定的な需要への適合が困難であった。
【課題を解決するための手段】
【００１１】
本発明による森林資源流通支援システムは、注文者と通信し得る通信手段と、森林資源の在庫情報、生産計画を格納するとともに、前記注文者から受信した注文情報を格納するデータベースと、前記データベースの前記在庫情報および前記生産計画を参照して、前記注文情報の森林資源に適合する在庫情報または生産計画の森林資源が存在するか否かを判断する第１受注判断手段と、前記第１受注判断手段が、前記注文情報の全部または一部の森林資源に適合する在庫情報または生産計画の森林資源が存在しないと判断したときに、前記注文の森林資源とは異なるが加工により当該森林資源への転用が可能な森林資源の在庫情報または生産計画が存在するか否かを判断する第２受注判断手段と、第１受注判断手段が、前記注文情報の森林資源に適合する在庫情報または生産計画の森林資源が存在すると判断し、あるいは、第２受注判断手段が、前記注文の森林資源とは異なるが加工により当該森林資源への転用が可能な森林資源の在庫情報または生産計画が存在すると判断したときに、前記注文者に対して、前記通信手段を介して、注文を確保できることを通知し、第２受注判断手段が、前記注文の森林資源への転用が可能な森林資源の在庫情報または生産計画が存在しないと判断したときに、前記注文者に対して、前記通信手段を介して、注文を確保できないことを通知する受注可否通知手段とを備える。
【００１２】
本発明は、注文者と通信し得る通信手段と、森林資源の在庫情報、生産計画を格納するとともに、前記注文者から受信した注文情報を格納するデータベースとを備えた森林資源流通支援システムのための森林資源流通支援プログラムであって、前記データベースの前記在庫情報および前記生産計画を参照して、前記注文情報の森林資源に適合する在庫情報または生産計画の森林資源が存在するか否かを判断する第１受注判断ステップと、前記第１受注判断ステップで、前記注文情報の全部または一部の森林資源に適合する在庫情報または生産計画の森林資源が存在しないと判断されたときに、前記注文の森林資源とは異なるが加工により当該森林資源への転用が可能な森林資源の在庫情報または生産計画が存在するか否かを判断する第２受注判断ステップと、第１受注判断ステップで、前記注文情報の森林資源に適合する在庫情報または生産計画の森林資源が存在すると判断し、あるいは、第２受注判断ステップで、前記注文の森林資源とは異なるが加工により当該森林資源への転用が可能な森林資源の在庫情報または生産計画が存在すると判断したときに、前記注文者に対して、前記通信手段を介して、注文を確保できることを通知し、第２受注判断ステップで、前記注文の森林資源への転用が可能な森林資源の在庫情報または生産計画が存在しないと判断したときに、前記注文者に対して、前記通信手段を介して、注文を確保できないことを通知する受注可否通知ステップとをコンピュータに実行させる。
【発明の効果】
【００１３】
本発明によれば、多様な需給関係に効率的に対応し得る。
【図面の簡単な説明】
【００１４】
【図１】本発明による森林資源流通支援システムの実施形態を示すブロック図。
【図２】図1における基地局、作業車両の情報処理系を示すブロック図。
【図３】図１におけるプロセッサのプロセッサヘッドを示す正面図。
【図４】図１におけるプロセッサの運転席を示す正面図。
【図５】図１における車載コンピュータをより詳細に示すブロック図。
【図６】図１における車載コンピュータの操作画面を示す正面図。
【図７】図１における車載コンピュータの他の操作画面を示す正面図。
【図８】図１における車載コンピュータのさらに他の操作画面を示す正面図。
【図９】図１における基地局コンピュータの操作画面を示す正面図。
【図１０】図１における基地局コンピュータの他の操作画面を示す正面図。
【図１１】図１における基地局コンピュータのさらに他の操作画面を示す正面図。
【図１２】図１における基地局コンピュータのさらに他の操作画面を示す正面図。
【図１３】図１における基地局コンピュータのさらに他の操作画面を示す正面図。
【図１４】図１における基地局コンピュータのさらに他の操作画面を示す正面図。
【図１５】図１におけるデータベースに格納される運行指図ヘッダ情報を示す表。
【図１６】図１におけるデータベースに格納される運行指図明細情報を示す表。
【図１７】図１におけるデータベースに格納される出荷ヘッダ情報を示す表。
【図１８】図１におけるデータベースに格納される出荷明細情報を示す表。
【図１９】図１におけるデータベースに格納される納品ヘッダ情報を示す表。
【図２０】図１におけるデータベースに格納される納品明細情報を示す表。
【図２１】図１におけるデータベースに格納される林業機械情報を示す表。
【図２２】図１におけるデータベースに格納される林業機械配置情報を示す表。
【図２３】図１におけるデータベースに格納される事業者情報を示す表。
【図２４】図１におけるデータベースに格納される事業地情報を示す表。
【図２５】図１におけるデータベースに格納される搬送車両情報を示す表。
【図２６】図１におけるデータベースに格納されるＩＣタグ情報を示す表。
【図２７】図１におけるデータベースに格納されるＩＣタグ配布情報を示す表。
【図２８】図１におけるデータベースに格納される生産データヘッダ情報を示す表。
【図２９】図１におけるデータベースに格納される生産データ明細情報を示す表。
【図３０】図１におけるデータベースに格納される在庫ヘッダ情報を示す表。
【図３１】図１におけるデータベースに格納される在庫明細情報を示す表。
【図３２】図１におけるデータベースに格納される納品ヘッダ情報を示す表。
【図３３】図１におけるデータベースに格納される素材注文明細情報を示す表。
【図３４】図１におけるデータベースの需給照合処理を示すフローチャート。
【図３５】図１におけるデータベースの他の需給照合処理を示すフローチャート。
【図３６】図１におけるデータベースのさらに他の需給照合処理を示すフローチャート。
【図３７】図２における作業機械のコントローラの操作画面の遷移を示す図。
【図３８】図３７の伝票入力処理における出荷データ登録処理の画面遷移を示す図。
【図３９】図３７の伝票入力処理における納品データ登録処理の画面遷移を示す図。
【図４０】図３７の伝票入力処理における出荷納品データ表示処理の画面遷移を示す図。
【図４１】図３７の情報参照処理における画面遷移を示す図。
【図４２】図３７のＩＣタグ登録処理における画面遷移を示す図。
【図４３】図３７のデータ通信処理における画面遷移を示す図。
【図４４】図１の基地局コンピュータにおける画面遷移を示す図。
【図４５】図４４の生産データ集計通信情報管理の処理における画面遷移を示す図。
【図４６】図４４の出荷納品情報管理の処理における画面遷移を示す図。
【図４７】図４４の林業機械稼働情報管理の処理における画面遷移を示す図。
【図４８】図４４の搬送車両運行管理の処理における画面遷移を示す図。
【図４９】図４４の事業地情報管理および取引業者情報管理の処理における画面遷移を示す図。
【図５０】図４４の注文情報管理の処理における画面遷移を示す図。
【図５１】図４４のＩＣタグ情報管理の処理における画面遷移を示す図。
【図５２】図４４のマスタメンテナンスの処理における画面遷移を示す図。
【図５３】図１におけるデータベースの注文情報と在庫情報の照合処理を示すフローチャート。
【発明を実施するための形態】
【００１５】
以下、本発明による森林資源流通支援システムおよび森林資源流通支援プログラムの実施の形態を添付図面に従って詳細に説明する。
［実施形態］
［森林資源流通支援システム］
【００１６】
図１、図２に示すように、森林資源流通支援システムは、土場ａに配備された作業機械１０に搭載されたコントローラ（コンピュータ）４と、森林資源の搬送車両２０、３０に搭載されたコントローラ（コンピュータ）２４と、基地局ｃに設置された基地局コンピュータ５０と、顧客ｂが保有するコンピュータ７０、管理事務所ｄ等に設置されたサーバＳＶ、都道府県庁ｅ等に設置された地図データベース７２とを備える。
作業機械１０は、森林資源（丸太、残材等）を生産するとともに余剰樹木を伐採する。
基地局ｃおよび管理事務所ｄは、例えば森林を管理する組織が運営する。そのような組織としては、単独あるいは複数の森林組合によって運営される組織、あるいは、個人の山林所有者等が共同運営する組織等がある。
【００１７】
森林資源流通支援システムは、コントローラ４に接続されたＧＰＳ装置１および通信装置６、コントローラ２４に接続されたＧＰＳ装置３１および通信装置２６、基地局コンピュータ５０に接続された通信装置５１、基地局コンピュータ５０に設けられたデータベース５３を備える。
【００１８】
ＧＰＳ装置１、３１はＧＰＳ衛星７５の電波を受信し、作業機械１０の位置、搬送車両２０、３０の位置をそれぞれ算出する。
通信装置６、２６、５２は通信衛星７４を介して相互に通信する。
ＧＰＳ装置１、３１で算出された位置のデータはコントローラ４、２４に取り込まれる。
コントローラ４、２４は、作業機械１０、搬送車両２０、３０の機体ＩＤ、位置データ測定時刻とともに、位置データを、内蔵タイマを参照しつつ、所定のタイミングで、通信装置６、２６から通信装置５２に送信する。
通信装置５２が受信した位置情報はコンピュータ５０に取り込まれ、作業機械１０や搬送車両２０、３０の稼働状況が管理される。
なお、図２において符号２、２２はＧＰＳアンテナ、符号７、２７、５１は通信アンテナを示す。
【００１９】
コンピュータ５０、７０、地図データベース７２、サーバＳＶはネットワーク回線７３を介して相互に通信可能である。
コンピュータ５０は、ＧＰＳ装置１、３１で算出された作業機械１０、搬送車両２０、３０の位置情報を、地図データベース７２の地図データと照合し、位置情報を地図データに変換する。
土場ａ、搬送車両２０の作業場所、搬送車両３０の移動経路、顧客ｂの所在地等は、地名、地番で管理されているので、地図データへの変換は必須である。
【００２０】
作業機械１０に搭載されたコントローラ４は、ＣＰＵ９およびシステムメモリ８を備え、コントローラ４には、角度センサ１０５、測長センサ１０８および入力・表示装置５が接続されている。
搬送車両２０、３０に搭載されたコントローラ２４は、ＣＰＵ２９およびシステムメモリ２８を備え、コントローラ２４には、センサ２３および入力・表示装置２５が接続されている。
【００２１】
搬送車両２０、３０のセンサ２３は、積載した森林資源の重量を計測し、計測信号をコントローラ２４に入力する。
コントローラ２４は、計測信号に基づき、積載森林資源の重量の情報を通信装置２６から通信装置５２に送信する。コンピュータ５０は通信装置５２で受信した重量情報を取り込み、データベース５３に登録する。
すなわち、搬送車両２０、３０で搬送されている森林資源の重量は迅速に、データベース５３に登録される。
【００２２】
コンピュータ５０にはＣＰＵ５５、入力装置５４、表示装置５６およびＩ／Ｏ５７が設けられ、コンピュータ５０はＩ／Ｏ５７においてネットワーク回線７５に接続されている。
なお、コンピュータ７０、７３およびサーバＳＶはコンピュータ５０と同様に構成されている。
【００２３】
作業機械１０には、さらに画像処理コンピュータ４１が搭載され、画像処理コンピュータ４１には、作業機械１０の外部に取り付けられたカメラ４２が接続されている。
画像処理コンピュータ４１はＬＡＮ（ローカルエリアネットワーク）その他の通信回線を介してコントローラ４に接続されている。
【００２４】
作業機械１０によって生産された森林資源は、無限軌道履帯２１を備えたクローラキャリア等の搬送車両２０によって、土場ａの所定箇所に搬送し集積される。
集積された森林資源は、さらに土場に設けられたクローラキャリアとは別の搬送車両３０によって、例えば、顧客ｂの施設まで搬送される。この搬送車両３０としては、トラックやトレーラ等が採用される。
【００２５】
図１５〜図３３に関連して説明するように、データベース５３には、さらに、森林資源の生産計画、作業機械１０、搬送車両２０、３０の指図情報、森林資源の出荷情報が格納される。
なお、図３、図４に関連して後述するように、コントローラ４には木材の長さ、径級、本数、等級が入力され、コンピュータ５０を介してデータベース５３に入力される。
［プロセッサ］
【００２６】
ここで作業機械１０をより詳細に説明する。
作業機械１０は、下部走行体１１と、下部走行体１１に旋回可能に装着された上部旋回体１２と、上部旋回体１２に装着された作業装置１６とを備える。
作業装置１６は、上部旋回体１２に装着された上下揺動可能なブーム１３と、ブーム１３の先端部に装着されかつ上下揺動可能なアーム１４と、アーム１４の先端部に装着されたプロセッサヘッド（作業具）１５とを備える。
【００２７】
図３に示すように、プロセッサヘッド１５には、アーム１４への装着のための取付部１００が設けられ、取付部１００には重量センサ１０１が取り付けられている。
重量センサ１０１には、支持部材１０２を介して、作業具本体１０３が取り付けられ、作業具本体１０３には、一対のグラップルアーム１０４、１０４が装着されている。
【００２８】
グラップルアーム１０４、１０４は、油圧シリンダ（図示省略）によって駆動され、相互に接近、離間するように揺動し、丸太等を把持、開放し得るように構成している。
各グラップルアーム１０４部には、それぞれ角度センサ１０５が設けられ、両角度センサ１０５によって検出された角度検出信号がコントローラ４に入力されるように構成している。コントローラ４は、角度検出信号に基づいて、グラップルアーム１０４によって把持された丸太の直径を算出する。
【００２９】
重量センサ１０１は、作業具１５自体の重量、および把持した丸太の重量を検出し、重量検出信号をコントローラ４に入力する。
【００３０】
作業具本体１０３には、把持した丸太を切断するチェーンソー１０６が装着され、チェーンソー１０６は、一方のグラップルアーム１０４の枢支部で揺動可能に支持されている。
チェーンソー１０６は、通常時は作業具本体１０３内部に収納され、丸太切断時には、グラップルアーム１０４、１０４の間に進出する。
【００３１】
作業具本体１０３および各グラップルアーム１０４には、ローラ状の送材装置１０７が設けられ、送材装置１０７は、把持状態の丸太に当接する。この状態で送材装置１０７を回転すると、作業具本体１０３に対して、丸太をその長手方向に移送することができる。
送材装置１０７で、丸太を所定長さ送材することによって、所定長の丸太を生産し得る。
【００３２】
作業具本体１０３には測長装置１０８が設けられ、測長装置１０８は、作業具本体１０３に設けられた送材装置１０７に接続さている。送材装置１０７による送り量（製材される丸太の長さ）は測長装置１０８によって計測され、コントローラ４に入力される。
コントローラ４は、送材装置１０７を駆動して、所定の送り量だけ丸太を送り、送材装置１０７を一旦停止してから、チェーンソー１０６によって丸太を切断する。
【００３３】
作業具本体１０３および両グラップルアーム１０４には、丸太の枝払いのためのカッタ１０９、１１０がそれぞれ設けられ、カッタ１０９は作業具本体１０３に固定され、カッタ１１０はグラップルアーム１０４に対して揺動可能である。
カッタ１０９はグラップルアーム１０４、１０４で把持された丸太に接触するように、グラップルアーム１０４、１０４間に突出している。
一方、カッタ１１０は、ピン１１１によって、グラップルアーム１０４に枢着され、把持状態の丸太に向かって揺動し得る。
カッタ１０９、１１０は、把持状態の丸太の移送方向上流側に配置され、把持状態の丸太に当接する。ここで送材装置１０７によって丸太を移送すると、丸太の枝がカッタ１０９、１１０に向かって順次進行し、切り払われる。
【００３４】
図４、図５に示すように、入力・表示装置５はリアルタイム表示部４３およびタッチパネルモニタ４４を備え、リアルタイム表示部４３はカメラ４２から取り込んだ周囲の状況を表示する。
画像処理コンピュータ４１は、カメラ４２の画像の色調整、ノイズ処理等の処理を実行する。
入力・表示装置５は作業機械１０の運転席に設置され、作業者は、リアルタイム表示部４３の画像によって作業状況や周囲の状況を確認する。
【００３５】
プロセッサヘッド１５によって計測された森林資源の重量、長さ、径級、本数はコントローラ４から、通信装置６を介して、通信装置５２に送信され、コンピュータ５７に取り込まれた後、データベース５３に登録される。
すなわち、作業機械１０の稼働状況は迅速にデータベース５３に登録される。
［作業機械のコントローラ操作］
【００３６】
図６〜図８に示すように、タッチパネルモニタ４４には、作業者に森林資源に関する情報を入力させる入力画面が表示される。
図６の画面では、角度センサ１０５、測長装置１０８によって測定され、かつコントローラ４によって計算された、長さ（２８０ｃｍ）、直径（１１ｃｍ）、材積（０．０３３ｍ３）が表示ボックス６００、６０２、６０４にそれぞれ表示され、さらに、その樹種を選択するアイコン６０６、曲がりの度合が「直」、「小曲」、「大曲」を選択するアイコン６０８、６１０、６１２、作業終了アイコン６１４、作業実績アイコン６１６が表示されている。
【００３７】
図７に示すように、アイコン６０６にタッチすると、樹種を示すアイコン７００〜７１０が表示される。
アイコン７００〜７０６は、カラマツ、スギ、ヒノキ、アカマツの樹種をそれぞれ表示しており、アイコン７０８は、樹種のリストにおける、カラマツ、スギ、ヒノキ、アカマツの前に配列された樹種をアイコン７００〜７０６に表示するコマンドであり、アイコン７１０は、樹種のリストにおける、カラマツ、スギ、ヒノキ、アカマツの後に配列された樹種をアイコン７００〜７０６に表示するコマンドである。
【００３８】
図８に示すように、アイコン６１６にタッチすると、その日に生産した森林資源の実績を一覧表示する。
図８の画面には、各樹種について本数を表示するボックス８００、材積を表示するボックス８０２、図６の画面に戻るアイコン８０４が表示されている。
図６の画面でアイコン６１４にタッチすると、図６の画面による入力操作を終了する。
［基地局コンピュータの操作画面］
【００３９】
図９〜図１４は、基地局コンピュータ５０の主要な操作画面を示す。
操作画面はインターネットブラウザを基礎としており、上部にインターネットブラウザとしてのメニューが表示され、左部に森林資源流通支援システムのメインメニュー（初期化画面）が表示されている。
メインメニューには、生産データ集計通信情報管理、出荷納品情報管理、林業機械稼働情報管理、トラック運行管理、事業地情報管理、取引業者情報管理、注文情報管理、ＩＣタグ情報管理、マスタメンテナンスが表示されている。
【００４０】
図９の操作画面には、中央部に「在庫情報検索条件設定」の画面が表示され、右部に「注文情報検索条件設定」の画面が表示される。
「在庫情報検索条件設定」の画面には、検索ボタン９００、事業地入力ボックス９０２、樹種入力ボックス９０４、等級（曲がり度合）入力ボックス９０６、長さ（単位ｍ）入力ボックス９０８、径級（直径・単位ｃｍ）入力ボックス９１０、本数（〜本以上）入力ボックス９１２と、「在庫情報検索条件設定」画面の説明が表示されている。
「在庫情報検索条件設定」の画面で、ボックス９０２〜９１２の全部または一部に条件を入力し、検索ボタン９００をピックすると、コンピュータ５０はデータベース５３にアクセスし、条件に適合した在庫情報を検索する。
【００４１】
「注文情報検索条件設定」の画面には、検索ボタン９１４、会社名入力ボックス９１６、配達先入力ボックス９１８、受渡場所入力ボックス９２０、納期入力ボックス９２２、樹種入力ボックス９２４、等級入力ボックス９２６、長さ入力ボックス９２８、径級入力ボックス９３０、本数入力ボックス９３２、買取希望価格の上下限入力ボックス９３４、９３６、および「注文情報検索条件設定」画面の説明が表示されている。
「注文情報検索条件設定」の画面で、ボックス９１６〜９３６の全部または一部に条件を入力し、検索ボタン９１４をピックすると、コンピュータ５０はデータベース５３にアクセスし、条件に適合した注文情報を検索する。
【００４２】
図１０の操作画面は、図９の「在庫情報検索条件設定」の画面上の事業地入力ボックス９０２から入力された条件設定に基づいて行った検索結果を表示している。
同操作画面の中央部には、「事業地」、「担当部署」、「総材積」および各在庫丸太の「樹種」、「等級」、「長さ」、「径級」、「本数」、「単材積」が表示されている。
同操作画面の右部には、図９と同様の「注文情報検索条件設定」の画面が表示されている。
【００４３】
図１１の操作画面では、メインメニューの「注文情報管理」における「注文情報登録」を選択した状態を示す。
中央部および右部を統合した画面の上部に、登録済み注文情報明細一覧９４４、下部に注文情報明細新規登録メニュー９４６が表示される。
登録済み注文情報明細一覧９４４には、登録済の注文木材の「樹種」、「等級」、「長さ」、「径級」、「本数」、「単材積」、「買取希望金額」が表示され、さらに修正、削除のボタンが設けられている。
注文情報明細新規登録メニュー９４６には、新規登録ボタン９４８、注文情報ＩＤ表示ボックス９５０、樹種入力ボックス９５２、等級入力ボックス９５４、長さ入力ボックス９５６、径級入力ボックス９５８、本数入力ボックス９６０、買取希望価格入力ボックス９６２が表示されている。
【００４４】
図１２の操作画面は、図９の「注文情報検索条件設定」の画面上で入力された条件設定に基づいて行った検索結果を表示している。
同操作画面の中央部には、「注文情報検索条件設定」の画面に戻る復帰ボタン９３８、明細表示に移行する明細ボタン９４０、事業地、担当部署および総材積を表示する概要表示９４２が表示される。
同操作画面の右部には、図９と同様の「注文情報検索条件設定」の画面が表示されている。
【００４５】
図１３の操作画面は、図１２の「注文情報検索条件設定」の画面上で入力された条件設定に基づいて行った検索結果を表示している。
同操作画面の右部には、「注文情報検索条件設定」の画面に戻る復帰ボタン９４４、明細表示に移行する明細ボタン９４６、会社名、事業種別、総材積および登録時刻を表示する概要表示９４８が表示される。
同操作画面の中央部には、図９と同様の「注文情報検索条件設定」の画面が表示されている。
【００４６】
図１２の明細ボタン９４０、または、図１３の明細ボタン９４６をピックすると、図１４の操作画面に移行する。
同操作画面の右部には、「注文情報検索条件設定」の画面に戻る復帰ボタン９５０、顧客表示９５２および森林資源表示９５４が表示される。
顧客表示９５２には、会社名、事業種別、配達先住所、受渡場所、用途、その他の条件、総材積、登録時期が表示されている。
森林資源表示９５４には、樹種、等級、長さ、径級、本数、単材積、買取希望金額が表示されている。
【００４７】
サーバＳＶには、森林資源の生産計画、生産情報・在庫情報が登録され、一方、データベース５３には、作業機械１０、搬送車両２０、３０の機械情報・稼働情報、森林資源の生産情報、森林資源の出荷情報、森林資源の納品情報、森林資源の在庫情報、森林資源の注文情報、事業者情報、事業地情報が格納されている。
データベース５３における森林資源の生産情報、森林資源の在庫情報は、適時サーバＳＶの情報を参照することによって、更新される。
さらに、データベース５３には、作業機械１０の作業者、搬送車両２０、３０の運転者、土場ａの監督者、顧客ｂの検収者が保有するＩＣタグの情報が格納されている。ＩＣタグは、例えば、出荷、納品の認証に使用される。
【００４８】
顧客ｂはコンピュータ７０において、図９の注文情報検索条件設定画面の入力ボックス９１６〜９３６に対応した注文情報、およびその他の情報を入力し、コンピュータ７０はその注文情報をネットワーク回線７３を介してコンピュータ５０に送信する。コンピュータ５０は、その注文情報をデータベース５３に登録するとともに、照合作業を行う。
［コントローラ４の画面遷移］
【００４９】
コントローラ４の操作画面は図３７〜図４３のとおり遷移する。
図３７に示すように、システム起動時には、まずメニュー画面３７００が表示され、メニュー画面３７００には、伝票入力のメニュー３７０２、情報参照のメニュー３７０４、ＩＣタグ登録のメニュー３７０６、データ通信のメニュー３７０８が表示される。
【００５０】
メニュー画面３７００で伝票入力のメニュー３７０２を選択すると、出荷データ登録のための伝票入力のメニュー３８００（図３８）、納品データ登録のための伝票入力のメニュー３９００（図３９）、納品データ表示のための伝票入力のメニュー４０００（図４０）が表示される。
【００５１】
図３８に示すように、メニュー３８００では、出荷データ入力のメニュー３８０２、運行指図書選択のメニュー３８０４、運行指図書明細表示のメニュー３８０６、出荷データ登録のメニュー３８０８を順次表示し得る。
出荷データ登録のメニュー３８０８においては、伝票印刷画面（出荷伝票、送り状）のメニュー３８１０、タグ読み込み画面のメニュー３８１２、明細編集画面のメニュー３８１４を選択し得る。
明細編集画面のメニュー３８１４においては、長さ入力、径級入力、本数入力の入力ボックス３８１６、３８１８、３８２０がそれぞれ表示される。
【００５２】
図３９に示すように、メニュー３９００では、納品データ入力のメニュー３９０２、出荷データ選択のメニュー３９０４、出荷データ明細表示のメニュー３９０６、納品データ登録のメニュー３９０８を順次表示し得る。
納品データ登録のメニュー３９０８においては、伝票印刷画面（納品伝票）のメニュー３９１０、タグ読み込み画面のメニュー３９１２、明細編集画面のメニュー３９１４を選択し得る。
明細編集画面のメニュー３９１４においては、長さ入力、径級入力、本数入力の入力ボックス３９１６、３９１８、３９２０がそれぞれ表示される。
【００５３】
図４０に示すように、メニュー４０００では、出荷データ表示のメニュー４００２、納品データ表示のメニュー４００８を選択し得る。
出荷データ表示のメニュー４００２を選択すると、出荷データ一覧のメニュー４００４、出荷データ明細表示のメニュー４００６を順次表示し得る。
納品データ表示のメニュー４００８を選択すると、納品データ一覧のメニュー４０１０、納品データ明細表示のメニュー４０１２を順次表示し得る。
【００５４】
図４１に示すように、メニュー３７００で情報参照のメニュー３７０４を選択すると、情報参照のメニュー４１００が表示され、日づけ、積込場所、荷下場所等の一覧を表示するトラック運行指図書（一覧表示）のメニュー４１０２、林業機械配置情報のメニュー４１０４、事業地情報のメニュー４１０６、取引業者情報のメニュー４１０８、タグ配布情報のメニュー４１１０を選択し得る。
トラック運行指図書のメニューにおいては、樹種、本数、材積等を表示するトラック運行指図書（明細表示）のメニュー４１１２を選択し得る。
【００５５】
図４２に示すように、メニュー３７００でＩＣタグ登録のメニュー３７０６を選択すると、ＩＣタグ登録のメニュー４２００が表示され、タグ登録画面４２０２、タグ読み込み画面４２０４に順次移行し得る。
【００５６】
図４３に示すように、メニュー３７００でデータ通信のメニュー４３００を選択すると、データ通信のメニュー４３００が表示され、通信クライアント起動画面４３０２、通信クライアントのメニューに順次移行し得る。
［森林資源流通支援プログラム］
【００５７】
コンピュータ５０には、以下の森林資源流通支援プログラムが搭載され、森林資源流通支援プログラムは、ＣＰＵ５５に所定の処理を実行させることによって、データベース５３の管理、データベース５３に基づく森林資源流通支援を行う。
まず、森林資源流通支援プログラムは、顧客ｂの注文情報を受信すると、その注文情報と在庫情報、生産情報、生産計画情報とを照合し、注文に応じることができるか否かをコンピュータ７０に送信するステップを含んで構成されている。
コンピュータ５０による、注文情報と在庫情報の照合は、森林資源の種類、納期等により、種々の態様がある。
［注文情報と在庫情報の照合（その１）］
【００５８】
図３４を参照して説明する。森林資源流通支援プログラムは、以下の各ステップをＣＰＵ５５に実行させる。
【００５９】
ステップＳ３４０１：まず、注文情報の用途が建築材であったとき、その注文情報（直径、長さ、本数、等級等）を取り込み、ステップＳ３４０２に進む。
【００６０】
ステップＳ３４０２：在庫情報に注文に応じた本数の木材が存在するか否か判断する。充分な本数の在庫があればステップＳ３４０３に進み、本数が不足していればステップＳ３４０４に進む。
【００６１】
ステップＳ３４０３：コンピュータ７０に、注文が確保できる旨のメッセージを送信するとともに、在庫情報の更新、出荷手配等実行する。
【００６２】
ステップＳ３４０４：直径、長さが注文よりも大の木材の在庫を検索し、ステップＳ３４０５に進む。
【００６３】
ステップＳ３４０５：ステップＳ３４０４の検索の結果、注文の本数を補えるか否か判断する。
注文本数を補えるときはステップＳ３４０３に進み、注文本数を補うことができなかったときはステップＳ３４０６に進む。
【００６４】
ステップＳ３４０６：コンピュータ７０に、注文が確保できない旨のメッセージを送信する。
【００６５】
以上のとおり、注文された森林資源と在庫の森林資源を比較し、注文に応じられるときは注文を確定することはいうまでもないが、注文に応じるだけの森林資源の在庫が存在しないときにも、加工によって注文の木材に仕上げられる森林資源を検索するので、注文に対する柔軟な対応が可能である。
［注文情報と在庫情報の照合（その２）］
【００６６】
図３５を参照して説明する。森林資源流通支援プログラムは、以下の各ステップをＣＰＵ５５に実行させる。
【００６７】
ステップＳ３５０１：まず、注文情報の用途が合板用の木材であったとき、その注文情報（直径、長さ、本数、等級等）を取り込み、ステップＳ３５０２に進む。
【００６８】
ステップＳ３５０２：在庫情報に注文に応じた本数の木材が存在するか否か判断する。充分な本数の在庫があればステップＳ３５０３に進み、本数が不足していればステップＳ３５０４に進む。
【００６９】
ステップＳ３５０３：コンピュータ７０に、注文が確保できる旨のメッセージを送信するとともに、在庫情報の更新、出荷手配等実行する。
【００７０】
ステップＳ３５０４：等級の低い木材、長さがより長い、あるいは短い木材を検索し、ステップＳ３５０５に進む。
【００７１】
ステップＳ３５０５：ステップＳ３５０４の検索の結果、注文の本数を補えるか否か判断する。注文本数を補えるときはステップＳ３５０３に進み、注文本数を補うことができなかったときはステップＳ３５０６に進む。
【００７２】
ステップＳ３５０６：コンピュータ７０に、注文が確保できない旨のメッセージを送信する。
【００７３】
以上のとおり、注文された合板用森林資源と在庫の森林資源を比較し、注文に応じられるときは注文を確定することはいうまでもないが、注文に応じるだけの森林資源の在庫が存在しないときにも、事前の注文に対して近い、低い等級、長さが異なる森林資源を検索するので、注文に対する柔軟な対応が可能である。
［注文情報と在庫情報の照合（その３）］
【００７４】
図３６を参照して説明する。森林資源流通支援プログラムは、以下の各ステップをＣＰＵ５５に実行させる。
【００７５】
ステップＳ３６０１：まず、注文情報の用途がチップやパルプであったとき、その注文情報（ｍ３）を取り込み、ステップＳ３６０２に進む。
【００７６】
ステップＳ３６０２：在庫情報に注文に応じた材積の木材の在庫、あるいは生産計画が存在するか否か判断する。充分な材積の在庫、あるいは納期を満足する材積があればステップＳ３６０３に進み、材積が不足していればステップＳ３６０４に進む。
【００７７】
ステップＳ３６０３：コンピュータ７０に、注文が確保できる旨のメッセージを送信するとともに、在庫情報の更新、出荷手配等実行する。
【００７８】
ステップＳ３６０４：コンピュータ７０に、注文が確保できない旨のメッセージを送信する。
【００７９】
以上のとおり、注文されたチップ、パルプ用森林資源と在庫の森林資源を比較し、注文に応じられるときは注文を確定することはいうまでもないが、注文に応じるだけの森林資源の在庫が存在しないときにも、直近の注文に対して在庫だけでは不足がある場合に生産計画を検索するので、将来のいつ頃に在庫が確保できるのか把握できるため、比較的長納期の注文に柔軟に対応し得る。
［注文情報と在庫情報の照合（その４）］
【００８０】
図５３を参照して説明する。長期に渡る森林資源の注文に関しては、生産計画、短期の注文への影響を配慮する必要があり、以下の各ステップをＣＰＵ５５に実行させる。
【００８１】
ステップＳ５３０１：まず、注文情報が入力されたか否かを判断する。注文があったときはステップＳ５３０２に進み、注文がなかったときはそのまま処理を終了する。
【００８２】
ステップＳ５３０２：注文が長期か短期を判断し、長期であれば、ステップＳ５３０３ヘ進み、短期であればステップＳ５３０５に進む。
短期、長期の基準は、納期の長さ等によって設定され、例えば、半年以上の納期を長期とする。
【００８３】
ステップＳ５３０３：注文に適合した生産計画が存在するか否かを判断する。生産計画が存在するときはステップＳ５３０４に進み、生産計画が存在しないときはステップＳ５３０９に進む。
【００８４】
ステップＳ５３０４：コンピュータ７０に、注文が確保できる旨のメッセージを送信し、処理を終了する。
【００８５】
ステップＳ５３０５：注文に適合した在庫が存在するか否かを判断する。在庫が存在するときはステップＳ５３０６に進み、在庫が存在しないときはステップＳ５３０７に進む。
【００８６】
ステップＳ５３０６：長期の注文に対する影響があるか否かを判断する。例えば、３年前に受けた注文の納期が迫っていたとき、短期の注文に応じることによって、長期の注文に対応すべき木材が不足する可能性がある。
長期の注文に影響がないとき（木材が不足しないとき）は、ステップＳ５３０４に進み、長期の注文に影響があるとき（不足が出るとき）はステップＳ５３０８に進む
【００８７】
ステップＳ５３０７：不足の在庫を異なる仕様等の材木、近々の生産計画等により補充可能か否か判断する。補充可能なときはステップＳ５３０６に進み、補充不能なときはステップＳ５３０９に進む。
【００８８】
ステップＳ５３０８：長期の注文に対する影響分を、本土場以外の他の土場からの補充可能か否か判断する。補充可能なときはステップＳ５３０４に進み、補充不能なときはステップＳ５３０９に進む。
【００８９】
ステップＳ５３０９：コンピュータ７０に、注文が確保できない旨のメッセージを送信し、処理を終了する。
【００９０】
以上のとおり、短納期の注文があったときに、長納期の注文に割り当てた森林資源をその短期の注文に振り替え、長納期の注文には生産計画の森林資源を割り当てることにより、時間軸上で、森林資源の在庫、生産計画を柔軟に割り振り、供給し得る。
【００９１】
以上のとおり、本実施形態は、データベース５３に森林資源の在庫情報のみならず、短期、長期の生産計画、作業機械１０の配置、稼働状況、搬送車両２０、３０の運行指図、稼働状況を登録し、一元管理するので、短期、長期を含め多様な注文に、効率的に対応し得る。
【００９２】
森林資源流通支援プログラムの実行に際して、ＣＰＵ５５は、データベース５３の在庫情報および／または前記生産計画を参照して、注文情報の森林資源に適合する在庫情報または生産計画の森林資源が存在するか否かを判断する第１受注判断手段として機能する。、またＣＰＵ５５は、第１受注判断手段が、前記注文情報の全部または一部の森林資源に適合する在庫情報または生産計画の森林資源が存在しないと判断したときに、注文の森林資源とは異なる当該森林資源への転用が可能な森林資源の在庫情報または生産計画が存在するか否かを判断する第２受注判断手段として機能する。さらにＣＰＵ５５は、第１受注判断手段が、注文情報の森林資源に適合する在庫情報または生産計画の森林資源が存在すると判断し、あるいは、第２受注判断手段が、注文の森林資源とは異なる当該森林資源への転用が可能な森林資源の在庫情報または生産計画が存在すると判断したときに、注文者（顧客ｂ）に対して、通信手段５７を介して、注文を確保できることを通知し、第２受注判断手段が、前記注文の森林資源への転用が可能な森林資源の在庫情報または生産計画が存在しないと判断したときに、コンピュータ７０に対して、Ｉ／Ｏ５７を介して、注文を確保できないことを通知する受注可否通知手段として機能する。
【００９３】
さらに、森林資源流通支援プログラムの実行に際して、ＣＰＵ５５は、長期注文情報に割り当てる森林資源を新たな注文に割り当てようとするときに、長期注文情報の森林資源を、別の在庫情報または生産計画の森林資源で補うことができるか否か判断する第３受注判断手段として機能させる。
［基地局コンピュータの画面遷移］
【００９４】
基地局コンピュータ５０の操作画面は図４４〜図５２のとおり遷移する。
図４４に示すように、システム起動時には、まずログイン画面（ＩＳ、Ｐａｓｓ入力）４４００を経て、初期化画面４４０２（図９）が表示される。
初期化画面４４０２においては、生産データ集計通信情報管理（生産データ関連）のメニュー４４０４、出荷納品情報管理（在庫計算、物流データ検索）のメニュー４４０６、林業機械稼働情報管理（林業機械情報登録）のメニュー４４０８、トラック運行管理（トラック情報、運行指図書登録）のメニュー４４１０、事業地情報管理（事業地情報登録）のメニュー４４１２、取引業者情報管理（取引業者情報登録）のメニュー４４１４、注文情報管理（注文情報登録、在庫注文検索）のメニュー４４１６、ＩＣタグ情報管理（タグ情報表示、配布登録）のメニュー４４１８、マスタメンテナンス（単純マスタメンテナンス）のメニュー４４２０を選択し得る。
【００９５】
図４４に示すように、初期画面でメニュー４４０４を選択すると、生産データ集計通信情報管理のメニュー４５００が表示され、生産データ集計通信情報取得（メール受信）のメニュー４５０２、生産データ集計通信情報表示（一覧表示）のメニュー４５０４、生産データ登録（手入力による登録機能）のメニュー４５０６を選択し得る。
【００９６】
メニュー４５００において、生産データ集計通信情報表示のメニュー４５０４を選択すると、さらに詳細表示のメニュー４５０８に移行し得る。
【００９７】
図４５に示すように、メニュー４５００において、生産データ登録のメニュー４５０６を選択すると、入力メニュー４５１０に移行し得る。さらに入力メニュー４５１０を選択すると、ヘッダデータ新規登録のメニュー４５１２、登録済み生産データ一覧表示のメニュー４５１４を選択し得る。
【００９８】
入力メニュー４５１０において、登録済み生産データ一覧表示のメニュー４５１４を選択すると、ヘッダデータ修正登録のメニュー４５１８、明細データ登録のメニュー４５２０に順次移行し得る。
【００９９】
図４６に示すように、メニュー４４０２でメニュー４４０６を選択すると、出荷納品情報管理のメニュー４６００が表示され、山土場在庫管理メニュー４６０２、トラック運行指図書検索（条件設定）のメニュー４６０４、データ初期メニュー（システム管理者用データ初期化機能）４６０６を選択し得る。
【０１００】
メニュー４６００において、山土場在庫管理メニュー４６０２を選択すると、山土場在庫計算処理のメニュー４６０８、在庫注文検索のメニュー４６１０を選択し得る。
メニュー４６００において、トラック運行指図書検索のメニュー４６０４を選択すると、トラック運行指図書検索（一覧表示）のメニュー４６１２、トラック運行指図書詳細表示のメニュー４６１８、例えば樹種、長さ、径、本数、曲がり具合、出荷場所、納品場所等を表示する物流データ詳細表示（出荷納品データ表示）のメニュー４６２０に順次移行し得る。
【０１０１】
図４７に示すように、メニュー４４０２でメニュー４４０８を選択すると、林業機械稼働情報管理のメニュー４７００が表示され、機械配置情報（林業機械の事業地への配置を行う）のメニュー４７０２、機械情報登録（使用する林業機械をシステムに登録する）のメニュー４７０４を選択し得る。
【０１０２】
図４８に示すように、メニュー４４０２でメニュー４４１０を選択すると、トラック運行管理のメニュー４８００が表示され、運行指図書新規登録のメニュー４８０２、運行指図書検索（検索条件設定）のメニュー４８０４、トラック情報登録（使用するトラック情報をシステムに登録する）のメニュー４８０６を選択し得る。
【０１０３】
メニュー４８００において、メニュー４８０２を選択すると、ヘッダデータ登録のメニュー４８０８、明細データ登録のメニューに順次移行し得る。
メニュー４８００において、メニュー４８０４を選択すると、運行指図書一覧表示のメニュー４８１２、運行指図書詳細表示のメニュー４８１４、ヘッダデータ修正のメニュー４８１６、明細データ修正のメニュー４８１８に順次移行し得る。
【０１０４】
図４９に示すように、メニュー４４０２でメニュー４４１２、４４１４を選択すると、事業地情報管理のメニュー４９００、取引業者情報管理のメニュー４９０２がそれぞれ表示される。
メニュー４９００を選択すると、事業地情報（各事業地の登録を行う）のメニュー４９０４に移行し得る。
メニュー４９０２を選択すると、取引業者情報（各取引業者の登録を行う）のメニュー４９０６に移行し得る。
【０１０５】
図５０に示すように、メニュー４４０２でメニュー４４１６を選択すると、注文情報管理のメニュー５０００が表示される。
メニュー５０００においてメニュー５００２を選択すると、新規登録のメニュー５００６、修正登録のメニュー５００８を選択し得る。
メニュー５０００においてメニュー５００４を選択すると、在庫検索のメニュー５０１０、注文検索のメニュー５０１２を選択し得る。
メニュー５００２においてメニュー５００６を選択すると、ヘッダデータ登録のメニュー５０１４、明細データ登録のメニュー５０１６に順次移行し得る。
メニュー５００２においてメニュー５００８を選択すると、検索情報設定のメニュー５０１８、一覧表示のメニュー５０２０、ヘッダデータ登録のメニュー５０２２、明細データ登録のメニュー５０２４に順次移行し得る。
メニュー５０００においてメニュー５００４を選択すると、在庫検索のメニュー５０１０、注文検索のメニュー５０１２を選択し得る。
【０１０６】
図５１に示すように、メニュー４４０２でメニュー４４１８を選択すると、ＩＣタグ情報管理のメニュー５１００が表示され、タグ情報表示（システム登録済みタグ一覧）のメニュー５１０２、ＩＣタグ配布登録（タグをトラックまたは事業地に関連付ける）のメニュー５１０４を選択し得る。
【０１０７】
図５２に示すように、メニュー４４０２でメニュー４４２０を選択すると、マスタメンテナンスのメニュー５２００が表示され、樹種のメニュー５２０２、長さのメニュー５２０４、径級のメニュー５２０６、等級のメニュー５２０８、季節のメニュー５２１０、ベース単位のメニュー５２１２、運搬車両種別のメニュー５２１４、林業機械のメニュー５２１６を選択し得る。
［データベース５３のデータ］
【０１０８】
データベース５３においては、以下のテーブルが定義され、同テーブル内にデータが格納される。
【０１０９】
（１）運行指図ヘッダテーブル（図１５）
運行指図書の識別ＩＤ、運送日、運送会社名、トラックＩＤ、運転手名、出荷場所名、荷送人名、荷受人名、総材積、登録時刻が格納される。
本テーブルはデータベース５３において登録され、コントローラ４、２４に配信される。
【０１１０】
（２）運行指図明細テーブル（図１６）
明細テーブルに属するヘッダデータのヘッダデータＩＤ、機種ＩＤ、等級ＩＤ、長さＩＤ、径級ＩＤ、本数、単材積が格納される。
本テーブルはデータベース５３において登録され、コントローラ４、２４に配信される。
【０１１１】
（３）出荷ヘッダ（図１７）
元となる運行指図書のヘッダ識別（運行指図）ＩＤ、出荷ＩＤ、出荷場所タグＩＤ、出荷場所タグ番号、トラックタグＩＤ、トラックタグ番号、運転手名、出荷場所名、荷送人名、荷受人名、総材積、登録時刻が格納される。
本テーブルはデータベース５３において登録され、コントローラ４、２４に配信される。
【０１１２】
（４）出荷明細テーブル（図１８）
出荷明細のヘッダデータの識別ＩＤ、識別ＩＤ、樹種ＩＤ、等級ＩＤ、長さＩＤ、径級ＩＤ、本数、単材積
本テーブルはデータベース５３において登録され、コントローラ４、２４に配信される。
【０１１３】
（５）納品ヘッダ（図１９）
元となる運行指図書のヘッダ識別（運行指図）ＩＤ、出荷ＩＤ、納品ＩＤ、納品場所タグＩＤ、納品場所タグ番号、トラックタグＩＤ、トラックタグ番号、運転手名、納品場所名、荷送人名、荷受人名ＩＤ、総材積、登録時刻が格納される。
本テーブルはデータベース５３において登録され、コントローラ４、２４に配信される。
【０１１４】
（６）納品明細テーブル（図２０）
納品明細のヘッダデータの識別ＩＤ、識別ＩＤ、機種ＩＤ、等級ＩＤ、長さＩＤ、径級ＩＤ、本数、単材積が格納される。
本テーブルはデータベース５３において登録され、コントローラ４、２４に配信される。
【０１１５】
（７）林業機械情報テーブル（図２１）
識別ＩＤ、林業機械ＩＤ、機械名称、管理番号、号機コード、号機番号、登録時刻が格納される。
本テーブルはデータベース５３に保持され、コントローラ４から送信された生産データを登録する。生産データは、号機コード、号機番号をキーとして特定される。
【０１１６】
（８）林業機械配置情報テーブル（図２２）
識別ＩＤ、林業機械情報ＩＤ、事業地ＩＤ、配置開始日、配置終了日が格納される。
本テーブルはデータベース５３に保持され、コントローラ４から送信された生産データを登録する。生産データは、号機コード、号機番号をキーとして特定され、さらに林業機械情報ＩＤ、作業日をキーとして事業地を特定する。
【０１１７】
（９）事業者マスタ（図２３）
事業者ＩＤ、事業者名、事業種別、郵便番号、住所、電話番号、ＦＡＸ番号、責任者名、登録時刻が格納される。
本テーブルはデータベース５３において登録される。
【０１１８】
（１０）事業地マスタ（図２４）
事業地ＩＤ、事業地名称、担当部署名、登録時刻が格納される。
本テーブルはデータベース５３において登録される。
【０１１９】
（１１）トラックマスタ（図２５）
トラック識別ＩＤ、プレート番号、トラック種別、運送会社名、運転手名、登録時刻が格納される。
本テーブルはデータベース５３において登録される。
【０１２０】
（１２）タグ情報（図２６）
タグ識別ＩＤ、タグ管理番号、タグ名称が格納される。
本テーブルはデータベース５３およびコントローラ４、２４に保持され、コントローラ４、２４のＩＣタグ登録情報は、データベース５３に送信される。
【０１２１】
（１３）タグ配布情報（図２７）
タグ識別ＩＤ、トラック識別ＩＤ、事業地ＩＤ、登録時刻、回収フラグ、回収時刻が格納される。
本テーブルはデータベース５３において登録される。配布先はトラック（搬送車両）３０または事業地に択一的に設定される。
【０１２２】
（１４）生産データヘッダテーブル（図２８）
識別ＩＤ、機種コード、号機番号、作業日、林業機械情報ＩＤ、事業地ＩＤ、データ最終計測時刻、緯度、経度、総材積、登録時刻が格納される。
本テーブルはデータベース５３において登録される。生産データ集計通信情報管理の生産データ集計通信情報取得処理において、受信したデータを解析し、登録する。
【０１２３】
（１５）生産データ明細テーブル（図２９）
ヘッダデータＩＤ、識別ＩＤ、樹種ＩＤ、等級ＩＤ、長さＩＤ、径級ＩＤ、本数、単材積が格納される。
本テーブルはデータベース５３において登録される。生産データ集計通信情報管理の生産データ集計通信情報取得処理において、受信したデータを解析し、登録する。
【０１２４】
（１６）在庫ヘッダテーブル（図３０）
事業地ＩＤ、総材積が格納される。
本テーブルはデータベース５３において登録される。山土場在庫管理の山土場素材在庫量計算処理において、生産データと出荷データを元に計算する。
【０１２５】
（１７）在庫明細テーブル（図３１）
ヘッダデータＩＤ、識別ＩＤ、樹種ＩＤ、等級ＩＤ、長さＩＤ、径級ＩＤ、本数、単材積が格納される。
本テーブルはデータベース５３において登録される。山土場在庫管理の山土場素材在庫量計算処理において、生産データと出荷データを元に計算する。
【０１２６】
（１８）納品ヘッダ（図３２）
データ識別ＩＤ、会社ＩＤ（事業者マスタ）、組織ＩＤ、配送先住所、受渡場所、納期、用途、その他条件、総材積、登録時刻が格納される。
本テーブルはデータベース５３において注文情報入力によって登録される。ヘッダデータの組織ＩＤを注文情報特定のキーとする。
【０１２７】
（１９）素材注文明細テーブル（図３３）
ヘッダデータＩＤ、識別ＩＤ、樹種ＩＤ、等級ＩＤ、長さＩＤ、径級ＩＤ、本数、単材積が格納される。
本テーブルはデータベース５３において注文情報入力によって登録される。
（変形例）
【０１２８】
上記実施形態では、角度センサ１０５の角度検出信号によって丸太の直径を算出したが、グラップルアーム１０４を駆動する油圧シリンダにストロークセンサ（図示省略）を設け、そのストローク検出信号に基づいて直径を算出することも可能である。
【０１２９】
上記実施形態では、駆動型のカッタ１１０を各グラップルアーム１０４に1個ずつ設けたが、より多くの駆動型カッタ１１０を設けることにより、枝払いの効率を向上し得る。
【０１３０】
上記実施形態の図１０における在庫情報検索結果表示においては、各材木について画像表示のボタンを設け、そのボタンをピックすることによって、木材の断面、外観等の画像を表示してもよい。
木材の画像は、作業機械１０に搭載のカメラ４２で撮影し得る。
木材の画像によって、顧客は材木の品質等を目視確認し得る。
さらに、木材生育場所の風景の画像を表示すれば、木材の生育状況に基づく品質評価が可能である。
風景画像は、カメラ４２によって撮影し、あるいは搬送車両２０、３０において別途撮影し得る。
【０１３１】
図３４、図３５のフローチャートでは長さ、径級、等級など、仕様の異なる木材を活用して注文本数に補充したが、生産計画、作業機械１０、運搬車両２０、３０の稼働計画、稼働状況等に基づき、近々の在庫変動を予測して、補充の可否を判断することも可能である。
【０１３２】
基地局コンピュータ５０における注文情報検索条件は図９の右部の項目に限定されるものではなく、「事業地」、「会社名」、「事業種別」その他を含めてもよい。
【０１３３】
以上の実施形態は木材産業に関するものであったが、森林に自生する種々の産物について、本発明を適用できる。
【符号の説明】
【０１３４】
ａ：土場
ｂ：顧客施設
ｃ：基地局
ＳＶ：サーバ
１、３１：ＧＰＳ装置
２：ＧＰＳアンテナ
４、２４：コントローラ
５、２５：入力・表示装置
５６：表示装置
６、２６、５２：通信装置
７、５１：通信アンテナ
８、２８：メモリ（記憶手段）
９、２９、５５：ＣＰＵ
１０：作業機械
１１：下部走行体
１２：上部旋回体
１３：ブーム
１４：アーム
１５：プロセッサヘッド（作業具）
１６：作業装置
２０、３０：搬送車両
２１：無限軌道履体
２３、１０１：重量センサ
５０：基地局コンピュータ
５３：データベース
５４：入力装置
５７：Ｉ／Ｏ
７０：顧客コンピュータ
７２：データベース
７３：情報通信ネットワーク（ネットワーク回線）
７４：通信衛星
７５：ＧＰＳ衛星
１００：取付部
１０５：角度センサ
１０６：チェーンソー
１０７：送材装置
１０８：測長装置
１０９、１１０：カッタ
１５０、１５１：記録装置
１５２、１５３：記憶媒体
【図１】
0005450172.tif 000002
【図２】
0005450172.tif 000003
【図３】
0005450172.tif 000004
【図４】
0005450172.tif 000005
【図５】
0005450172.tif 000006
【図６】
0005450172.tif 000007
【図７】
0005450172.tif 000008
【図８】
0005450172.tif 000009
【図９】
0005450172.tif 000010
【図１０】
0005450172.tif 000011
【図１１】
0005450172.tif 000012
【図１２】
0005450172.tif 000013
【図１３】
0005450172.tif 000014
【図１４】
0005450172.tif 000015
【図１５】
0005450172.tif 000016
【図１６】
0005450172.tif 000017
【図１７】
0005450172.tif 000018
【図１８】
0005450172.tif 000019
【図１９】
0005450172.tif 000020
【図２０】
0005450172.tif 000021
【図２１】
0005450172.tif 000022
【図２２】
0005450172.tif 000023
【図２３】
0005450172.tif 000024
【図２４】
0005450172.tif 000025
【図２５】
0005450172.tif 000026
【図２６】
0005450172.tif 000027
【図２７】
0005450172.tif 000028
【図２８】
0005450172.tif 000029
【図２９】
0005450172.tif 000030
【図３０】
0005450172.tif 000031
【図３１】
0005450172.tif 000032
【図３２】
0005450172.tif 000033
【図３３】
0005450172.tif 000034
【図３４】
0005450172.tif 000035
【図３５】
0005450172.tif 000036
【図３６】
0005450172.tif 000037
【図３７】
0005450172.tif 000038
【図３８】
0005450172.tif 000039
【図３９】
0005450172.tif 000040
【図４０】
0005450172.tif 000041
【図４１】
0005450172.tif 000042
【図４２】
0005450172.tif 000043
【図４３】
0005450172.tif 000044
【図４４】
0005450172.tif 000045
【図４５】
0005450172.tif 000046
【図４６】
0005450172.tif 000047
【図４７】
0005450172.tif 000048
【図４８】
0005450172.tif 000049
【図４９】
0005450172.tif 000050
【図５０】
0005450172.tif 000051
【図５１】
0005450172.tif 000052
【図５２】
0005450172.tif 000053
【図５３】
0005450172.tif 000054